(57)【要約】【課題】タオルの生地が破れたりほつれたりすることがなく、脱着が容易で、広告やデザインの表示ができるタオルクリップを提供する。【解決手段】第１挟持片２と第２挟持片３が弾性変形可能に互いに連結され、第２挟持片３の先端に第３挟持片４が支軸１５により回動可能に設けられている。第３挟持片は、支軸より第２挟持片の基端に向かって延伸する第１部分１６と、支軸より第１挟持片の先端に向かって延伸する第２部分１７とからなる。第１挟持片、第２挟持片及び第３挟持片の第２部分により、被取付部を挟持する第１クリップ機構が形成され、第２挟持片及び第３挟持片の第１部分により、タオルを挟持する第２クリップ機構が形成されている。【選択図】図１
2018134176.tif 000002
【特許請求の範囲】
【請求項１】
第１挟持片と第２挟持片が弾性変形可能に互いに連結され、
前記第２挟持片の先端に第３挟持片が支軸により回動可能に設けられ、
前記第３挟持片は、前記支軸より前記第２挟持片の基端に向かって延伸する第１部分と、前記支軸より前記第１挟持片の先端に向かって延伸する第２部分とからなり、
前記第１挟持片、前記第２挟持片及び前記第３挟持片の前記第２部分により、被取付部を挟持する第１クリップ機構が形成され、
前記第２挟持片及び前記第３挟持片の前記第１部分により、タオルを挟持する第２クリップ機構が形成されていることを特徴とするタオルクリップ。
【請求項２】
前記第２挟持片に孔が形成され、前記第３挟持片の前記第２部分に前記第２挟持片の前記孔を貫通する突起が形成されていることを特徴とする請求項１に記載のタオルクリップ。
【請求項３】
前記第３挟持片の前記第２部分の先端は曲面で形成されていることを特徴とする請求項１又は２に記載のタオルクリップ。
【請求項４】
前記第３挟持片の外面に表示部が設けられていることを特徴とする請求項１から３のいずれかに記載のタオルクリップ。
【請求項５】
前記表示部は、前記第３挟持片の外面に着脱可能に設けられていることを特徴とする請求項４に記載のタオルクリップ。
【請求項６】
前記第１挟持片の基端に、前記第３挟持片の第１先端と対向する押圧部が取り付けられていることを特徴とする請求項１から５のいずれかに記載のタオルクリップ。
【発明の詳細な説明】
【技術分野】
【０００１】
本発明は、衣服の腰部、ポケット、襟、カバン、キャディバッグ、台所・洗面所等の所要箇所に取り付け、タオル等を挟んで保持することができるタオルクリップに関する。
【背景技術】
【０００２】
従来、タオルやフェイスタオルを腰やカバンにぶら下げていつでも使用できるようにするためのタオルクリップが使用されている。また、サッカーや野球等のスポーツの観戦や応援で使用するスポーツタオル、ライブコンサート等でマフラータオルをファッションとして衣服に身に着けるためにも、タオルクリップが使用される。
【０００３】
タオルクリップの安易な例としては、洗濯ばさみのようなクリップを使用できる。選択ばさみは、衣服、カバン等に装着してタオルを保持しても、ばね等が使用されているため、ファッション性に欠けるうえ、押圧部や挟持部が小さいため、飾りや広告等を設ける余裕がないという問題があった。
【０００４】
従来、種々のタオルクリップが提案されている。例えば、特許文献１には、カラビナリングからなる吊下げ部材と、貫通孔に放射状に切り込みが形成された弾性板体が設けられた本体部とを有する繊維シート吊下げ具が記載され、特許文献２には、ベルトからなる吊着体とタオルを通し入れるリング体とを有するタオル保持具が記載されている。
【０００５】
このようなタオルクリップは、衣服やカバン等に取り付ける取付部と、タオルを保持する保持部とを有している。
【０００６】
タオルクリップの取付部の形状としては、リング、カラビナ、クリップ、フック、ベルト、紐、両面テープ、ネジ等があるが、取付箇所が制限される。例えば、リング、カラビナ等は、ベルトやベルトループ、カバンの取手等には取り付けることができるが、ズボンのポケットやスカートのウエストには取り付けられない。クリップはどのような場所でも挟んで取り付けることができるが、ばね等が見えてファッション性に欠ける。
【０００７】
一方、保持部の形状としては、ねじ込み、引っ掛け、挿通、挟み込み等がある。ねじ込みタイプは、切り込みを入れた弾性板体にねじ込むので、タオルの生地が破れたり、ほつれることがある。また、ねじ込むことができる長さが短いうえ、タオルが保持できているかどうか確認したり調整する必要がある。さらに、本体を持ってタオルをねじ込むため脱着に両手を要する等の問題がある。引っ掛けたり、挿通するタイプは、生地が破れたりほつれることは少なく、脱着が容易であるが、外れやすいという問題がある。
【先行技術文献】
【特許文献】
【０００８】
【特許文献１】特開２００８−１０４４９０号公報
【特許文献２】実用新案登録第３１３１７４７号明細書
【発明の概要】
【発明が解決しようとする課題】
【０００９】
本発明は斯かる従来の問題点に鑑みてなされたもので、タオルの生地が破れたりほつれたりすることがなく、脱着が容易で、広告やデザインの表示ができるタオルクリップを提供することを課題とする。
【課題を解決するための手段】
【００１０】
前記課題を解決するための手段として、本発明のタオルクリップは、
第１挟持片と第２挟持片が弾性変形可能に互いに連結され、
前記第２挟持片の先端に第３挟持片が支軸により回動可能に設けられ、
前記第３挟持片は、前記支軸より前記第２挟持片の基端に向かって延伸する第１部分と、前記支軸より前記第１挟持片の先端に向かって延伸する第２部分とからなり、
前記第１挟持片、前記第２挟持片及び前記第３挟持片の前記第２部分により、被取付部を挟持する第１クリップ機構が形成され、
前記第２挟持片及び前記第３挟持片の前記第１部分により、タオルを挟持する第２クリップ機構が形成されているものである。
【００１１】
前記手段では、第１挟持片と第３挟持片の第２部分とで被取付部を挟持するので、被取付部の形状を問わず、タオルクリップを取り付けることができる。また、第３挟持片の第１部分を開くと、第３挟持片の第２部分の下端が第１挟持片に対して支点となり、第２挟持片の下端を第１挟持片に対して引き離すので、第２挟持片の下端が第１挟持片に向かって戻ろうとする復帰力により、容易にタオルを保持できる。さらに、第２挟持片と第３挟持片の第１部分とでタオルを挟持するので、タオル生地が破れたり、ほつれたりすることなく、タオルを保持することができる。第３挟持片の第１部分の外面は、第２挟持片と可第３挟持片の第１部分との間に挟持したタオルより外側にあるので、広告を表示したりデザインを施すことができる。
【００１２】
前記第２挟持片に孔が形成され、前記第３挟持片の前記第２部分に前記第２挟持片の前記孔を貫通する突起が形成されていることが好ましい。第３挟持片の突起が第２挟持片の孔に入り込むことで、第２挟持片と第３挟持片の第１部分との間に挟持したタオルが外れることがなくなる。
【００１３】
前記第３挟持片の前記第２部分の先端は曲面で形成されていることが好ましい。第１挟持片の第１部分を開いたときに第２部分の下端が第１挟持片を摺動する。
【００１４】
前記第３挟持片の外面に表示部が設けられていることが好ましい。表示部が第３挟持片の外面にあることで、表示部を自由な形状にし、広告を表示したりデザインを施したりすることができる。
【００１５】
前記表示部は、前記第３挟持片の外面に着脱可能に設けられていることが好ましい。これにより、異なる形状や表示を有する表示部に付け替えることができる。
【００１６】
前記第１挟持片の基端に、前記第３挟持片の第１先端と対向する押圧部が取り付けられていることが好ましい。これにより、押圧部を第１挟持片と第２挟持片に対して別部品で形成し、第１挟持片と第２挟持片を成形した後に第１挟持片に取り付けることができ、
第１挟持片と第２挟持片の成形が容易となる。
【発明の効果】
【００１７】
本発明によれば、第１挟持片と第３挟持片の第２部分とで被取付部を挟持し、第２挟持片と第３挟持片の第１部分とでタオルを挟持するので、タオルの生地が破れたりほつれたりすることがなく、脱着が容易である。また、第３挟持片の第１部分の外面に広告を表示したり、デザインを施すことができるので、商品性が高い。さらに、ばね等の別部品を費用しないので、組立が容易で、ファッション性にも優れている等の効果を有している。
【図面の簡単な説明】
【００１８】
【図１】本発明の第１実施形態に係るタオルクリップの分解斜視図。
【図２】図１のタオルクリップの右側面図。
【図３】図１のタオルクリップの正面図。
【図４】図１のタオルクリップの背面図。
【図５】図１のタオルクリップの平面図。
【図６】図１のタオルクリップの底面図。
【図７】図１のタオルクリップを被取付部に取り付ける状況を示す図。
【図８】図１のタオルクリップを被取付部に取り付けた状況を示す図。
【図９】図１のタオルクリップにタオルを保持する状況を示す図。
【図１０】図１のタオルクリップにタオルを保持した状況を示す図。
【図１１】タオルクリップにタオルを保持する他の状況を示す図。
【図１２】図１のタオルクリップを衣服に取り付け、タオルを保持した状態を示す斜視図。
【図１３】本発明の第２実施形態に係るタオルクリップの右側面図。
【図１４】図１３のタオルクリップの使用状態を示す図。
【図１５】本発明の第３実施形態に係るタオルクリップの分解斜視図。
【図１６】図１５のタオルクリップの表示部の外面から見た斜視図。
【図１７】押圧部を第１挟持片に装着する前の状態を示す断面図（ａ）、押圧部を第１挟持片に装着した状態を示す断面図（ｂ）、図１７（ｂ）のＣ−Ｃ線断面図（ｃ）。
【図１８】表示部を第３挟持片に装着する前の状態を示す一部破断右側面図（ａ）、表示部を第３挟持片に装着した状態を示す一部破断右側面図（ｂ）。
【図１９】図１５のタオルクリップの右側面図（ａ）、図１５のタオルクリップの第１クリップ機構を開いた状態を示す右側面図（ｂ）、図１５のタオルクリップの第２クリップ機構を開いた状態を示す右側面図（ｃ）。
【発明を実施するための形態】
【００１９】
以下、本発明の実施形態を添付図面に従って説明する。
【００２０】
＜第１実施形態＞
図１は、本発明の第１実施形態に係るタオルクリップ１を示す。タオルクリップ１は、
第１挟持片２と、第２挟持片３と、第３挟持片４と、表示部５とを備えている。以下の実施形態において、第１挟持片２と第２挟持片３を手で押圧操作する側を「上」、第１挟持片２と第２挟持片３により被取付部を挟持する側を「下」という。
【００２１】
第１挟持片２と第２挟持片３は、連結部６により連結されて一体の挟持片７を形成している。挟持片７は、合成樹脂又はステンレス鋼等の金属で形成されている。第１挟持片２は、上下方向に長い矩形の板状で、上端側に押圧部８を有し、下端側に挟持部９を有している。第２挟持片３は、上下方向に長い矩形の板状で、第１挟持片２と同じ幅であるが、第１挟持片２より短く形成されている。連結部６は、逆Ｕ字形で、第１挟持片２の押圧部８の下部と第２挟持片３の上端とを弾性変形可能に連結している。第２挟持片３の下端には、幅方向に延伸する軸部１０が形成され、該軸部１０の両端にはねじ孔１１が形成されている。第２挟持片３の上端側には保持孔１２が形成されている。
【００２２】
第３挟持片４は、合成樹脂又はステンレス鋼等の金属で形成され、上下方向に長い矩形の板状で、挟持片７より幅広で、挟持片７の第１挟持片２とほぼ同じ長さを有している。第３挟持片４の内面には、第２挟持片３の軸部１０が嵌入する凹部１３が形成されている。第３挟持片４の両側面には、凹部１３まで貫通する貫通孔１４が形成されている。第３挟持片４の凹部１３に第２挟持片３の軸部１０を嵌入し、貫通孔１４からねじ１５を通して第２挟持片３のねじ孔１１にねじ込むことで、第３挟持片４はねじ１５を支軸として回動可能になっている。
【００２３】
第３挟持片４のねじ１５より上方の上側部分（本発明にいう第３挟持片の第１部分）１６は、挟持片７とほぼ同じ厚さを有している。第３挟持片４のねじ１５より下方の下側部分（本発明の本発明にいう第３挟持片の第２部分）１７は、上側部分１６より厚く形成されている。第３挟持片４のねじ１５から上側部分１６までは傾斜している。第３挟持片４の上側部分１６は、第２挟持片３の外側を第１挟持片２の上端と同じ位置まで延伸し、第１挟持片２の押圧部８と対向する押圧部１８を有している。第３挟持片４の上側部分１６の内面には、第２挟持片３の保持孔１２に嵌入する円柱状の突起１９が形成されている。第３挟持片４の突起１９は、円柱状に限らず、円錐状でもよいし、複数の突起で形成してもよい。第３挟持片４のねじ１５より下側部分１７は、第１挟持片２の下端に向かって延伸し、第１挟持片２の挟持部９と対向する挟持部２０を有している。下側部分１７の下端は、曲面で形成され、第１挟持片２や被取付部の接触面に対して摺動するときの摩擦を低減している。
【００２４】
挟持片７が単体の状態では、第１挟持片２と第２挟持片３は平行ではなく、先端に向かって間隔が狭まるように形成され、図２に２点鎖線で示すように、第１挟持片２の下端が第３挟持片４の下側部分１７と交差するようになっている。このため、挟持片３の第２挟持片３に第３挟持片４を取り付けた際に、第１挟持片２の挟持部９と第３挟持片４の下側部分１７の挟持部２０との間に、挟持力がプリセットされるようになっている。
【００２５】
表示部５は、第３挟持片４の外面に一体に形成され、第３挟持片４の幅より広い逆スペード形を有している。図２に示すように、表示部５の外周には一段高い縁２１が形成されている。表示部５の外形は、逆スペード型に限らず、ハート型など任意である。表示部５には、広告が表示されたり、デザインが施されたシール２２を貼り付けることができる。
【００２６】
タオルクリップ１を組み立てるには、既に説明したように、第３挟持片４の凹部１３に第２挟持片３の軸部１０を嵌入するが、挟持片７は第１挟持片２と第２挟持片３の先端が狭まるように予め成形されているため、挟持片７の下端を第３挟持片４の下端に当てて第２挟持片３を第３挟持片４に当てた状態では、第２挟持片３の軸部１０は第３挟持片４の凹部１３から僅かに浮き上がった状態となる。そこで、第１挟持片２と第２挟持片３の間に工具等を適宜挿入して間隔を開いた状態で、軸部１０を凹部１３に嵌入する。そして、貫通孔１４からねじ１５を通して第２挟持片３のねじ孔１１にねじ込むことで、第３挟持片４はねじ１５を支軸として回動可能となる。第１挟持片２と第２挟持片３の間に挟んだ工具を取り除くと、挟持片７の挟持部９と第３挟持片４の挟持部２０との間に挟持力がプリセットされる。このように、タオルクリップ１は、ばね等の部品が不要で組み立てが容易である。
【００２７】
以上の構成からなるタオルクリップ１は、挟持片７の第１挟持片２と第３挟持片４の下側部分１７とで構成される第１クリップ機構により被取付部を挟持することができ、第２挟持片３と第３挟持片４の上側部分１６とで構成される第２クリップ機構によりタオルを挟持することができる。第１クリップ機構と第２クリップ機構は、第２挟持片の長手方向中心部に対して点対称の位置にある。
【００２８】
すなわち、図７に示すように、タオルクリップ１の第１挟持片２の押圧部８と第３挟持片４の上側部分１６の押圧部１８を持って、互いに接近する方向に押さえて、第１挟持片２の挟持部９と、第３挟持片４の下側部分１７の挟持部２０とを開き、図８に示すように、第３挟持片４と表示部５を外側に向けた状態で、タオルクリップ１を取り付けようとする所望の被取付部Ｗを挟持する。この場合、本発明のタオルクリップ１は、ベルトやベルトループ、カバンの取手等の輪になった部分に取り付けることができ、また、ズボンのポケットやスカートのウエスト等の縁部にも取り付けることができるので、取付箇所を選ぶ必要がない。
【００２９】
次に、図９に示すように、タオルクリップ１の第３挟持片４の上側部分１６を外側に開くと、第３挟持片４の下側部分１７の挟持部２０の下端が第１挟持片２に対して支点となり、ネジ１５が第２挟持片３の下端を第１挟持片２に対して引き離すので、第２挟持片３の下端が第１挟持片２に向かって戻ろうとする復帰力が作用する。この復帰力により、図１０に示すように、第２挟持片３と第３挟持片４の上側部分１６との間に、タオルＴを挟み込むことで、タオルＴを保持することができる。このとき、第３挟持片４の上側部分１６の突起１９がタオルＴの生地を介して第２挟持片３の保持孔１２に入り込むので、タオルＴは引っ張られても外れない。
【００３０】
タオルクリップ１は、第３挟持片４の上側部分１６を手で開かなくても、ワンアクションでタオルＴを保持することができる。すなわち、図１１に示すように、第３挟持片４の上側部分１６と第２挟持片３との間にタオルＴを押し込むと、上側部分１６がネジ１５を中心に回動して、第２挟持片３から離れ、図１０に示すように、第２挟持片３と第３挟持片４の上側部分１６との間に、タオルＴが挟み込まれる。この場合、タオルＴが最初に当たる突起１９の外周面の上半分は、突起が先端に向かって細くなるように、傾斜面１９ａとすることが好ましいが、突起１９を無くすることもできる。
【００３１】
タオルクリップ１に保持されたタオルＴは、図１２に示すように、第２挟持片３と第３挟持片４の上側部分１６との間に挟持されてタオルクリップ１の両側に垂れ下がるので、表示部５の広告やデザインが隠れることがなく、広告性やデザイン性が損なわれることはない。また、タオルＴを引っ掛けないときでも、表示部５は挟持片７や第３挟持片４より幅広であるので、連結部６や軸部１０等の機構部分が隠れるので、ファッションとして楽しむことができる。
【００３２】
＜第２実施形態＞
図１３は、本発明の第２実施形態に係るタオルクリップ１Ａを示す。タオルクリップ１Ａは、第３挟持片４に突起が無い点、第１挟持片２と第３挟持片４の上側部分１６には押圧部がなく、第３挟持片４の下側部分１７は第１挟持片２の下端まで延伸していない点、表示部５が第３挟持片４の外面になっている点を除き、第１実施形態と実質的に同一であるので、対応する部分には同一符号を附して説明を省略する。
【００３３】
第２実施形態のタオルクリップ１Ａは、第１挟持片２と第３挟持片４の上側部分１６には押圧部がないため、タオルクリップ１Ａを衣服等の所望の箇所に取り付けるには、第３挟持片４を把持して第１挟持片２の下端を被取付部Ｗに差し入れ、第２挟持片３を開きながら被取付部Ｗに押し込むことで、図１４に示すように、第３挟持片４の下側部分１７と第１挟持片２とで被取付部Ｗを挟持して、取り付けることができる。また、図１４に２点鎖線で示すように、タオルクリップ１Ａの第３挟持片４の上側部分１６を外側に開くことで、第１実施形態と同様に、第２挟持片３の復帰力により、第２挟持片３と第３挟持片４の上側部分１６との間に、タオルを挟み込むことで、タオルを保持することができる。
【００３４】
＜第３実施形態＞
図１５は、本発明の第３実施形態に係るタオルクリップ１Ｂを示す。タオルクリップ１Ｂは、第１挟持部２、連結部６、第２挟持片３、第３挟持片４、及び表示部５の部分的構造を除いて、第１実施形態と実質的に同一であるので、対応する部分には同一符号を附して説明を省略する。
【００３５】
第１挟持片２には、上端の近傍に矩形の係合孔２３が形成されている。図１７に示すように、係合孔２３の上縁は外面から内面に向かって斜め下方に傾斜している。同様に、係合孔２３の下縁は外面から内面に向かって斜め下方に傾斜している。
【００３６】
第１挟持部２と第２挟持部３の連結部６は、図１５に示すように、第１挟持部２と第２挟持部３の全幅ではなく、幅方向両側の２箇所に形成されることにより、剛性が弱化されて、弾性が向上されている。
【００３７】
第１挟持片２は、別部品で形成された押圧部８が該第１挟持片２の基端、すなわち、２つの連結部６の間に着脱可能に取り付けられている。押圧部６を別部品で形成することで、第１挟持片２と第２挟持片３からなる挟持片７全体の成形が容易である。
【００３８】
押圧部８は、第１挟持片２と同じ幅の基部２４を有している。基部２４の下端には、２つの連結部６に間に嵌る突部２５と、該突部２５の先端の外側の縁から延伸する突出片２６と、該突出片２６の両側縁から内側に延伸し、先端外面に係止爪２７が形成された２つの弾性片２８とが形成されている。基部２４の上端は、上方に凸の曲面で形成されている。基部２４の上端には、第２挟持片３の上端に向かって内側に延伸するカバー部２９が形成されている。図１７に示すように、カバー部２９の上面と基部２４の外面は鋭角をなしている。
【００３９】
図１７（ａ）に示すように、押圧部８の２つの弾性片２８を第１挟持片２に形成された係合孔２３に挿入して押し込むと、図１７（ｂ），（ｃ）に示すように、２つの弾性片２８の係止爪２７が係合孔２３の両側の縁に係止して、押圧部８は第１挟持片２に強固に取り付けられる。押圧部８の係止爪２７は、２箇所あり、しかも第１挟持片２の長手方向に延伸しているので、押圧部８を外側（図１７（ｂ）の右側）から押圧しても、外れることはない。
【００４０】
第２挟持片３は、図１５に示すように、２つの連結部６の間の上端から上方に突出する突出部３０を有し、該突出部３０に第３挟持片４の突起１９が貫通する保持孔１２が形成されている。第２挟持片３の突出部３０の上端は上方に凸の曲面で形成され、第１挟持片２の押圧部８のカバー部２９より下に位置している。
【００４１】
第３挟持片４は、外面に係合突起３１が形成されている。係合突起３１は、図１８に示すように、第３挟持片４の外面から外方に突出する基部３２と、該基部３２の先端から上方に延伸し、先端内面に係止爪３３が形成された弾性片３４とから形成されている。
【００４２】
表示部５は、円形板状で、第３挟持片４とは別部品で形成され、第３挟持片４に着脱可能に取り付けられている。表示部５の内面には、矩形の係合孔３５と、第３挟持片４の係合突起３１が挿入される矩形の挿入凹部３６とが形成されている。図１８に示すように、挿入凹部３６の上縁は表示部５の外面に向かって斜め上方に傾斜している。表示部５の外面には、図１６に示すように、スライド凹部３７が形成されている。図１８に示すように、スライド凹部３７の上縁は係合孔３５の上縁より上方に位置し、傾斜面となっている。スライド凹部３７の下縁は挿入凹部３６の高さの約半分の位置にある。
【００４３】
図１８（ａ）に示すように、表示部５の内面の挿入凹部３６に第３挟持片４の係合突起３１を挿入し、表示部５を下方にスライドさせると、図１８（ｂ）に示すように、係合突起３１の係止爪３３が係合孔３５の下縁に係合して、表示部５は第３挟持片４に強固に取り付けられる。また、表示部５のスライド凹部３７の上縁と係合突起３１の弾性片３４の上端との間にドライバー等を差し込んで弾性片３４を外側に変形させて、弾性片３４の係止爪３３と係合孔３５の下縁との係合を解除することにより、表示部５を取り外すことができる。
【００４４】
このように、表示部５は、第３挟持片４に対して着脱可能であるので、異なる形状の表示部５を用意して、同じ係合孔３５、挿入凹部３６、及びスライド凹部３７を形成しておけば、異なる形状の表示部５に付け替えることができる。
【００４５】
第３実施形態のタオルクリップ１Ｂは、図１９に示すように、挟持片７の第１挟持片２と第３挟持片４の下側部分１７とで第１クリップ機構を構成し、この第１クリップ機構により第１実施形態のタオルクリップ１と同様の動作により被取付部Ｗを挟持し、第２挟持片３と第３挟持片４の上側部分１６とで第２クリップ機構を構成し、この第２クリップ機構により第１実施形態のタオルクリップ１と同様の動作によりタオルＴを挟持することができる。
【００４６】
第３実施形態のタオルクリップは、押圧部８に傾斜したカバー部２９があるので、タオルＴを保持するときに、タオルＴをカバー部２９の上面に沿って第２挟持片３と第３挟持片４の間に滑り込ませることができる。また、押圧部８のカバー部２９は、第２挟持片３の上端を覆うとともに、第１挟持片２と第２挟持片３の連結部６を覆い隠しているので、見栄えがよい。
【００４７】
また、第３実施形態のタオルクリップ１Ｂは、第２挟持片３の保持孔１２が第１挟持片２と第２挟持片３の連結部６より高い位置にある第２挟持片３の突出部３０に形成されている。このため、第２挟持片３の保持孔１２と第３挟持片４の突起１９が、第１実施形態のタオルクリップ１に比べて、ねじ（支軸）１５より離れた位置にあるので、タオルＴを容易に挟むことができる。
【００４８】
本発明は、前記実施形態に限定されるものではなく特許請求の範囲に記載された発明の範囲内で修正や変更が可能である。
【００４９】
例えば、挟持片７と第３挟持片４の少なくともいずれか一方をステンレス鋼等の金属製としたり、挟持部２の弾性変形する連結部６を金属製とすることもできる。また、第１挟持片２の下端の挟持部９、第２挟持片３の外面と第３挟持片４の上側部分１６の内面にゴム等を張り付けたり、梨地処理したり、凹凸を形成することで滑り止めを施してもよい。第３挟持片４の上側部分１６に滑り止めを設ける場合は、第３挟持片４の突起１９や第２挟持片３の保持孔１２は不要である。
【符号の説明】
【００５０】
１，１Ａ，１Ｂ…タオルクリップ
２…第１挟持片
３…第２挟持片
４…第３挟持片
５…表示部
６…連結部
７…挟持片
８…押圧部
９…挟持部
１０…軸部
１１…ねじ孔
１２…保持孔
１３…凹部
１４…貫通孔
１５…ねじ（支軸）
１６…上側部分（第１部分）
１７…下側部分（第２部分）
１８…押圧部
１９…突起
２０…挟持部
２１…縁
２２…シール
Ｔ…タオル
Ｗ…被取付部
【図１】
2018134176.tif 000003
【図２】
2018134176.tif 000004
【図３】
2018134176.tif 000005
【図４】
2018134176.tif 000006
【図５】
2018134176.tif 000007
【図６】
2018134176.tif 000008
【図７】
2018134176.tif 000009
【図８】
2018134176.tif 000010
【図９】
2018134176.tif 000011
【図１０】
2018134176.tif 000012
【図１１】
2018134176.tif 000013
【図１２】
2018134176.tif 000014
【図１３】
2018134176.tif 000015
【図１４】
2018134176.tif 000016
【図１５】
2018134176.tif 000017
【図１６】
2018134176.tif 000018
【図１７】
2018134176.tif 000019
【図１８】
2018134176.tif 000020
【図１９】
2018134176.tif 000021
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
第１挟持片と第２挟持片が弾性変形可能に互いに連結され、
前記第２挟持片の先端に第３挟持片が支軸により回動可能に設けられ、
前記第３挟持片は、前記支軸より前記第２挟持片の基端に向かって延伸する第１部分と、前記支軸より前記第１挟持片の先端に向かって延伸する第２部分とからなり、
前記第１挟持片、前記第２挟持片及び前記第３挟持片の前記第２部分により、被取付部を挟持する第１クリップ機構が形成され、
前記第２挟持片及び前記第３挟持片の前記第１部分により、タオルを挟持する第２クリップ機構が形成され、
前記第３挟持片の前記第１部分を開いたとき、前記第３挟持片の前記第２部分の先端が前記第１挟持片に対して支点となることを特徴とするタオルクリップ。
【請求項２】
前記第２挟持片に孔が形成され、前記第３挟持片の前記第１部分に前記第２挟持片の前記孔を貫通する突起が形成されていることを特徴とする請求項１に記載のタオルクリップ。
【請求項３】
前記第３挟持片の前記第２部分の先端は曲面で形成されていることを特徴とする請求項１又は２に記載のタオルクリップ。
【請求項４】
前記第３挟持片の外面に表示部が設けられていることを特徴とする請求項１から３のいずれかに記載のタオルクリップ。
【請求項５】
前記表示部は、前記第３挟持片の外面に着脱可能に設けられていることを特徴とする請求項４に記載のタオルクリップ。
【請求項６】
前記第１挟持片の基端に、前記第３挟持片の前記第１部分と対向する押圧部が取り付けられていることを特徴とする請求項１から５のいずれかに記載のタオルクリップ。
【手続補正２】
【補正対象書類名】明細書
【補正対象項目名】００１０
【補正方法】変更
【補正の内容】
【００１０】
前記課題を解決するための手段として、本発明のタオルクリップは、
第１挟持片と第２挟持片が弾性変形可能に互いに連結され、
前記第２挟持片の先端に第３挟持片が支軸により回動可能に設けられ、
前記第３挟持片は、前記支軸より前記第２挟持片の基端に向かって延伸する第１部分と、前記支軸より前記第１挟持片の先端に向かって延伸する第２部分とからなり、
前記第１挟持片、前記第２挟持片及び前記第３挟持片の前記第２部分により、被取付部を挟持する第１クリップ機構が形成され、
前記第２挟持片及び前記第３挟持片の前記第１部分により、タオルを挟持する第２クリップ機構が形成され、
前記第３挟持片の前記第１部分を開いたとき、前記第３挟持片の前記第２部分の先端が前記第１挟持片に対して支点となるものである。
【手続補正３】
【補正対象書類名】明細書
【補正対象項目名】００１２
【補正方法】変更
【補正の内容】
【００１２】
前記第２挟持片に孔が形成され、前記第３挟持片の前記第１部分に前記第２挟持片の前記孔を貫通する突起が形成されていることが好ましい。第３挟持片の突起が第２挟持片の孔に入り込むことで、第２挟持片と第３挟持片の第１部分との間に挟持したタオルが外れることがなくなる。
【手続補正４】
【補正対象書類名】明細書
【補正対象項目名】００１６
【補正方法】変更
【補正の内容】
【００１６】
前記第１挟持片の基端に、前記第３挟持片の前記第１部分と対向する押圧部が取り付けられていることが好ましい。これにより、押圧部を第１挟持片と第２挟持片に対して別部品で形成し、第１挟持片と第２挟持片を成形した後に第１挟持片に取り付けることができ、
第１挟持片と第２挟持片の成形が容易となる。
【手続補正５】
【補正対象書類名】明細書
【補正対象項目名】００１７
【補正方法】変更
【補正の内容】
【００１７】
本発明によれば、第１挟持片と第３挟持片の第２部分とで被取付部を挟持し、第２挟持片と第３挟持片の第１部分とでタオルを挟持するので、タオルの生地が破れたりほつれたりすることがなく、脱着が容易である。また、第３挟持片の第１部分の外面に広告を表示したり、デザインを施すことができるので、商品性が高い。さらに、ばね等の別部品を使用しないので、組立が容易で、ファッション性にも優れている等の効果を有している。